(57)【要約】  フィルムウェブを横方向に延伸させる装置において、テンタークリップ（１）が、走行ローラー（７）によってガイドレール（２）上を走行する。振動、ノイズ、磨耗および摩擦損失が、高い作業速度において生じる。これを回避するため、永久磁石または電磁石（８）が、テンタークリップ（１）上の走行ローラー（７）の所定領域、またはガイドレール（２）上に配置される。これによって、テンタークリップ（１）が、画定された方向においてガイドレール（２）に向かって引き寄せられる。このため、ガイドレール（２）上でのテンタークリップ（１）の走行が安定化され、そして、フィルムウェブを横方向に延伸させる装置において、高い作業速度が実現される。
2011518695.tif 000002
【特許請求の範囲】
【請求項１】
フィルムウェブの横方向の延伸のための装置において、
少なくとも１つのクリップチェーンを有し、クリップチェーンは、少なくとも１つのガイドレール（２）上で移動可能に誘導され、
前記クリップチェーンはテンタークリップ（１）を有し、このテンタークリップ（１）には、フィルムウェブ（３）のためのクランプデバイス（５）と、複数の走行ローラー（７）であって、ガイドレール（２）に沿って転がり得るよう設けられた走行ローラー（７）と、が配置され、
磁気的に効果的な力を生成するためのデバイスが設けられており、このデバイスは、テンタークリップ（１）を、画定された方向においてガイドレール（２）に向けて引き寄せる、ことを特徴とする装置。
【請求項２】
前記画定された方向は、前記フィルムウェブ（３）が横方向の延伸への反作用としてテンタークリップに及ぼす力の方向に一致している、ことを特徴とする請求項１に記載の装置。
【請求項３】
前記画定された方向は、さらに１つの成分を含み、
前記成分は、フィルムウェブ（３）の延伸方向に垂直に、ガイドレール（２）に向かってテンタークリップを引き寄せる、ことを特徴とする請求項２に記載の装置。
【請求項４】
磁気的に効果的な力を生成するためのデバイスは、少なくとも１つの磁石（８）を含む、ことを特徴とする請求項１乃至３のいずれかに記載の装置。
【請求項５】
少なくとも１つの磁石（８）は、テンタークリップ（１）のベース本体（４）に取り付けられている、ことを特徴とする請求項４に記載の装置。
【請求項６】
請求項５に記載の装置におけるテンタークリップ。
【請求項７】
少なくとも１つの磁石（８）が、ガイドレール（２）上に配置されている、ことを特徴とする請求項４に記載の装置。
【請求項８】
請求項７に記載の装置におけるガイドレール。
【請求項９】
前記磁石（８）におけるエアギャップが、調整手段（９）によって調整可能となっている、ことを特徴とする請求項５または７のいずれかに記載の装置。
【請求項１０】
クリーニングデバイス（１０，１１）が設けられており、このクリーニングデバイスが、アブラシブ磨耗の粒子を磁石から取り除く、ことを特徴とする請求項５，７または９のいずれかに記載の装置。
【請求項１１】
前記クリーニングデバイスは、１つまたはそれよりも多いブラシ（１０）と、１つまたはそれよりも多い吸引装置（１１）と、からなる、ことを特徴とする請求項１０に記載の装置。
【発明の詳細な説明】
【技術分野】
【０００１】
本発明は、フィルムウェブの横方向の延伸のための装置に関する。
【背景技術】
【０００２】
既知の横方向延伸装置においては、多数のテンタークリップがともに組み合わされ、絶え間なく循環するクリップチェーンとなっている。クリップチェーンは、長手方向においてフィルムウェブの両側に設けられている。テンタークリップによって、フィルムウェブは、横方向延伸装置を通して高温で搬送され、同時に延伸される。
【０００３】
そのような横方向延伸装置は、例えば、ＤＥ３７０３０９７に記載されている。
【０００４】
テンタークリップが走行するガイドレールは、一般に、長方形の、垂直方向に向けられた断面を備えている。フィルムウェブの両側のクリップチェーンのための誘導システム全体は、走行方向において、真直ぐな、角度がつけられた、または湾曲したガイドレールの様々な部分から構成され、または組み立てられている。横方向延伸装置の入口において、合成プラスチックフィルムが、フィルムウェブの両側のテンタークリップの各列によって端部で把持され、また、延伸装置を通して長手方向において搬送される。そのことについて、両側に設けられたクリップチェーンのためのガイドレールは、横方向延伸装置の所定の領域においてクリップチェーンの間隔がより大きくなるよう構成または具体化されている。これによって、テンタークリップにおいて固定され張力をかけられるフィルムが、走行方向に対して横向きに延伸される。横方向延伸装置の出口において、テンタークリップは、フィルムウェブを解放する。所定の領域が設けられており、この所定の領域において、絶え間ないクリップチェーンが駆動され、そらされ、そしてさらなる誘導システムを介して始点に戻される。
【０００５】
テンタークリップは、一般に、ベース本体、フィルムウェブを強固に把持する機構、個々のテンタークリップを連結してチェーンにするエレメント、並びに、ガイドレール上でのテンタークリップの垂直方向および水平方向の誘導のための走行ローラーからなっている。
【０００６】
水平方向の誘導のための走行ローラーは、ガイドレール上でテンタークリップを誘導するだけでなく、さらに、フィルムウェブの引張力に耐える。これらの走行ローラーは、典型的には、ベース本体において互いに対向した状態にあるよう配置されており、これによって、それらは、ガイドレールにおける２つの側での垂直方向の走行において自身を支えることができる。これによって、テンタークリップが、フィルムの張力有りまたは無しで、また、高い走行速度において、また、ガイドレールの湾曲した部分において、制御されない運動に転じることができない、または制御されない運動を実行することができない、ということが実現される。
【０００７】
ガイドレールの湾曲した部分の領域における、不可避の許容誤差、並びに幾何学的な関係のため、対向した状態にある走行ローラーおよびレールからなるシステムが動かなくなり得るのを防ぐことに関する方法を提供することが必要である。例えば、互いに対向した状態にある走行ローラーの間の内法が、ガイドレールの厚みよりわずかに大きく構成されることにより達成される。すなわち、例えば０．３ｍｍから０．５ｍｍの遊びが存在している。
【０００８】
横方向延伸装置の領域のうち、フィルムウェブがテンタークリップに、走行方向に対して横向きの張力を横方向延伸装置の中央の方へ及ぼす領域において、ガイドレールの外側に置かれている走行ローラーは、ガイドレールの方へ押圧される。テンタークリップがフィルムを解放するとすぐに、フィルムの張力が失われ、それとともに、テンタークリップは、その自重のもとで、並びに、高いクリップチェーンの速度で生じる動的な慣性力のもとで、不安定に振舞うかもしれない。
【０００９】
テンタークリップ、走行ローラーおよびガイドレールからなるそのようなシステムが、ＥＰ０４７１０５２Ｂ１に記載されている。そこでは、高い駆動速度での遊びの結果として、ガイドレールおよび走行ローラーでの振動、ノイズおよび磨耗が生じるということが記載されている。これらの不利な点を避けるため、ＥＰ０４７１０５２Ｂ１において、テンタークリップの水平方向での誘導のために、複雑なレバーシステムによって、走行方向に対して横方向に調整可能な走行ローラーをガイドレールに対して押圧することが提案されている。これによって、従来技術において存在する遊びが、何時でもゼロに減らされる。このレバー装置は、機械的に複雑となっている。さらに、このレバー装置は、予めの張力のもとで互いに対向した状態にあるテンタークリップの全ての走行ローラーがレールに接触し、そして、走行ローラーのベアリングにおいて、かつ走行ローラーとガイドレールとの間の接点において、摩擦損失が生じる、ということを引き起こす。
【００１０】
ＤＥ１９５１５０３６Ａ１において、走行ローラーを有するテンタークリップからなるシステムが記載されている。この場合、減衰エレメントの利用によって安定化が達成されている。
【００１１】
ＤＥ１９５１０１４１Ｃ１は、リニアモーター駆動を有するテンタークリップシステムを開示している。
【先行技術文献】
【特許文献】
【００１２】
【特許文献１】ＤＥ３７０３０９７
【特許文献２】ＥＰ０４７１０５２Ｂ１
【特許文献３】ＤＥ１９５１５０３６Ａ１
【特許文献４】ＤＥ１９５１０１４１Ｃ１
【発明の概要】
【発明が解決しようとする課題】
【００１３】
本発明は、 横方向延伸装置におけるテンタークリップを有する装置を提供することを目的とする。この場合、横方向延伸装置における振動、ノイズ、磨耗および摩擦損失の許容可能なレベルが、高い動作速度で達成される。
【発明を解決するための手段】
【００１４】
本発明によれば、この目的は、請求項１に列挙される特徴によって達成される。本発明のさらなる有利な形態は、従属請求項および説明から生じる。
【００１５】
本発明の基本的な特徴は、フィルムの張力が存在するか否かによらず、画定された方向においてテンタークリップがガイドレールに向かって恒久的に引き寄せられるよう磁力を生成するための、装置に設けられたデバイスの利用を含んでいる。
【００１６】
この目的のために適切な方向は、横方向の延伸プロセスの間にフィルムの張力が効果的になる方向となっている。これによって、装置の端部領域におけるプロセスの中断の際、テンタークリップにおける力の関係が制御されたままとなり、このため、ガイドレール上におけるテンタークリップの走行が安定化される。
【００１７】
例えば、テンションローラー上に磁石位置が設けられており、この位置には、テンションローラーの走行の間、ガイドレールに沿って、小さな間隔、例えば１ｍｍが、磁石とガイドレールとの間に定常的に存在している。この間隔はエアギャップとなっており、このエアギャップにおいて、磁界がガイドレールと磁石との間に生じる。磁界において、力が、テンタークリップを、連結された走行ローラーとともに、ガイドレールに向けて引き寄せる。このためガイドレールは、例えば鋼などの、当業者に知られている磁気的に適切な材料からなっている必要がある。十分なオーダーの大きさの力が、今日において利用可能な強力磁石によってもたらされ得る。磁力の必要なオーダーの大きさのための向きは、典型的なテンタークリップの重さによって与えられる。典型的なテンタークリップの重さは、例えば６ｋｇに達しうる。磁石は、欠乏しているフィルムの張力によってテンタークリップがガイドレール上で傾こうとすることの影響のもとで、少なくとも重さの力を克服しなければならない。
【００１８】
上述のタイプおよび方法における磁石の利用に関して、ガイドレールにおいて磁石と同一の側に配置された走行ローラーは、定常的にガイドレールに接触している。これに関して、構成要素の位置は、当該位置が、磁石とガイドレールとの間の接触を生じさせないよう選択される。磁力のため、走行中、テンタークリップは安定化され、走行ローラーは係合を離脱しない。このため、走行ローラーの衝突および振れが生じず、これによって、走行ローラーおよびガイドレールの磨耗が低減される。さらに、ガイドレールの他側に配置された走行ローラーは、実際には、ガイドレールに接触しない、または、ガイドレールに希に接触するのみである。これによって、テンタークリップの全ての走行ローラーが定常的に予めの張力のもとにある形態に比べて、これらの走行ローラーの摩擦損失が低減される。適用可能なように、ガイドレールにおいて磁石と対向する側の走行ローラーを全面的に省くことも可能である。全体として、本発明による装置は、テンタークリップが横方向延伸装置において高い製造速度で走行することを可能とする作動力の著しい進歩を示している。
【００１９】
以下において、本発明の有利な例示的な形態およびさらなる詳細が説明される。
【００２０】
既知のテンタークリップにおいて、互いに隣接した状態にあるいくつかの走行ローラー、例えば走行ローラーのペアをガイドレールに対するテンタークリップの把持サポートのために提供することが、典型的なこととなっている。そのような走行ローラーのペアの１つまたはそれ以上が使用され得る。ここで、走行ローラーのペアは、重ねて配置されていてもよい。十分な力により、１つの磁石が２つの走行ローラーの間に配置され得る。１つの磁石の力が十分でない場合、複数の磁石が、走行ローラーの前方、後方および／または間で走行方向に配置されていてもよい。
【００２１】
垂直方向下方に向けられた力が、フィルムの力の方向に対して直交してテンタークリップに作用するよう、テンタークリップの磁石をガイドレールの下方に配置することも可能である。このことは、結果として、テンタークリップのガイドレールの上方に配置された走行ローラーが恒久的にガイドレールに接触し、これによって、テンタークリップの走行の安定化が垂直方向においても達成される、ということを有している。
【００２２】
磁石とガイドレールとの間で磁界が生じているエアギャップは、決定的に、生じている磁力およびガイドレールに向けてテンタークリップを引き寄せる力を決定する。磁力が対応して大きくなるにつれて、エアギャップが小さくなる。技術的に適切な中央値または中間値が、磁気的に不必要な小さなエアギャップと、磁石およびガイドレールの間の十分な遊びと、の間に見出される必要がある。この遊びは、ガイドレールが湾曲、許容誤差またはその他の不規則さを備えている場合であっても磁石とガイドレールとの接触が生じないようにするため、必要となっている。最適なエアギャップを実現するため、テンタークリップ上の磁石の位置を調整可能にすることが適切である。このことは、スクリュー／ナットの組合せを介して、および適用可能であれば、テンタークリップのベース本体の細長状のスロット穴を介して実現され得る。しかしながら、当業者に知られている、そのような構成要素の位置のためのその他の調整手段もまた使用可能である。
【００２３】
そのようなシステムの動作において、アブレシブ磨耗が不可避的に機械的構成要素において生じる。
【００２４】
しかしながら、本発明の磁石の利用により、このアブレシブ磨耗が低減される。なぜなら、走行ローラーは、ガイドレールに接触して安定な状態で置かれており、また、もはや、接触状態または非接触状態で互い違いに置かれていないからである。しかしその場合であっても、アブラシブ磨耗は完全には避けられ得ない。金属的なアブラシブ磨耗が磁石上に残され、これによって装置の機能と干渉するかもしれない。
【００２５】
従って、磁石をクリーニングするデバイスを提供することは、目的にかなっている。このデバイスは、例えば、誘導システムの適切な位置に配置された１つまたはそれよりも多いブラシからなっていてもよい。これによって、磁石は、クリップチェーンの走行の間、１つまたはそれよりも多いブラシにより、こすって通る、すなわちブラッシングされる。このため、磁石にぴったりとくっつく可能性のあるアブラシブ磨耗の微粒子がこすり落とされる。このことを可能にするため、磁石は、ガイドレールのうち走行ローラーによって転がられないガイドレールの領域に配置されたブラシに磁石が出会う、すなわちぶつかるよう配置されている。デバイスは、ガイドレールに統合された吸引装置によって、完全なものにされてもよい。ここで吸引装置は、ブラシおよび／または磁石から粘着しているゴミを吸引する。
【００２６】
今日、小さな構造上の空間においてであっても非常に高い力を生成することができる永久磁石が利用可能となっている。しかしながら、特定の場合において力が十分に大きくなっていない必要がある場合、電磁石が利用されてもよい。このことに関して、テンタークリップを有するクリップチェーンにはさらに、鉄道システムと同様に、固定され静止した機械部分、例えばガイドレールから、弾性的にバイアスをかけられたスリップ接点を介して電流が供給される、電流供給システムが設けられていてもよい。
【００２７】
このシステムを介して、テンタークリップの磁石が、電子制御によって一時的にスイッチオフされてもよい。このことは、磁石に粘着するアブラシブ磨耗の微粒子が上述のブラシによってより容易にこすり落とされ得る、という利点を有している。
【００２８】
逆の構成もまた考えられる。この場合、磁石の連続的な列がガイドレールに配置されており、一方テンタークリップは単に、対応する、磁気的な効果のあるカウンターエレメントを備えている。このことは、電磁石の利用の場合の電流の供給を単純化する。スリップリングが利用される必要はなく、しかしむしろ、磁石が、固定され静止したガイドレールにしっかりと組み込まれ得る。
【００２９】
この場合、磁石の列からアブラシブ磨耗を取り除くクリーニング用ブラシは、テンタークリップに取り付けられてもよい。吸引装置が、ガイドレールの領域の適切な位置でしっかりと取り付けられる。ここで、例えば磁石の列は、短い延伸の際に妨害され得る。従って、短い延伸の際のブラシは、磁石上を走行せず、むしろ吸引ノズル上を走行する。
【００３０】
本発明の装置によれば、テンタークリップを有する横方向延伸装置の高い製造速度が、振動、ノイズ、磨耗および摩擦損失の許容可能なレベルのもとで可能となっている。
【図面の簡単な説明】
【００３１】
【図１】図１は、フィルムウェブの外側から見た場合の、テンタークリップおよびガイドレールを有する本発明の装置を示す部分的な斜視図。
【図２】図２は、フィルムウェブの内側から見た場合のテンタークリップを、ガイドレール無しで示す斜視図。
【図３】図３は、磁石のその他の構成を有するテンタークリップを示す図。
【図４】図４は、クリーニングエレメントおよび電流供給部を有する装置を示す図。
【図４ａ】図４ａは、図４の断面図。
【図５】図５は、ガイドレールに磁石が有る場合の装置を示す図。
【発明を実施するための形態】
【００３２】
本発明の例示的な形態が、図と関連して説明され、また、以下においてより細かく記載される。
【００３３】
図１および図２において、テンタークリップ１を有する本発明の装置が示されている。ここでテンタークリップ１は、ガイドレール２上の複数の走行ローラー７ａ，７ｂ，７ｃによって自分自身を補強または支持する。このため走行ローラーは、テンタークリップのベース本体４に取り付けられている。テンタークリップは、チェーンリンクまたはジョイント６を介して、図示されていない多数の更なるテンタークリップに結合または組み合わされており、これによって、横方向延伸装置において絶え間なく循環する、または自由に動き回るクリップチェーンを形成する。図示されているのは、フィルムウェブ３の一側にあるガイドレールを有するテンタークリップであり、テンタークリップは、横方向延伸装置を通って矢印の方向に案内される。テンタークリップおよびガイドレールの誘導システムの構造は、フィルムの長手方向に対して対称的となっている。このことは、テンタークリップおよびガイドレールが、フィルムウェブ３の図示されていない他側において同様に配置されていることを意味している。
【００３４】
既知のタイプおよび方法において、フィルムウェブは、テンタークリップのフィルムクランプデバイス５によって保持または把持される。フィルムクランプデバイス５は、図示されていないが、従来技術による作動デバイスによって開放または閉鎖され得る。走行ローラー７ａは、フィルムの張力に耐えるよう、ガイドレールの外方に面する側に配置されている。磁石８は、フィルムの張力が無い領域において、テンタークリップがその自重によってガイドレールの内方の側に向かって傾くのを防いでいる。テンタークリップの垂直方向の誘導は、１つまたはそれよりも多い走行ローラー７ｃによって受け持たれている。走行ローラー７ｃは、ベース本体４に同様に取り付けられている。走行ローラーの二つ一組の、個々の、一列の、または二列の構成は、本発明における確定的でない更なるパラメータに依存している。
【００３５】
図２において、調整スクリュー９が磁石８上に示されている。ここで調整スクリューは、ナット／カウンターナットの組合せを介して、ガイドレールに向かう方向における磁石８の位置の調整を可能にする。必要に応じて、細長にされた、さらなる固定スクリューを有するスロット穴が、磁石の下方でベース本体にさらに設けられていてもよい。これによって、確実に磁力に耐えることが可能となる。この構成に関して、磁石８とガイドレール２との間のエアギャップは、磁石８とガイドレール２との間での接触が生じないが、それでもなお最大の可能な磁力が生成されるよう、小さく調整され得る。
【００３６】
本発明による磁石の構成は、図３に示されているように、走行ローラーの構成に適合され得る。
【００３７】
磁石は、２つの走行ローラーの間、および／または走行ローラーの前方および後方に、走行方向において取り付けられ得る。
【００３８】
垂直方向の力成分を生成するための、ガイドレールの下方への磁石の取り付けは、専門家により本記載から直接的に容易に確かめられ得る。従って、別個には示されない。
【００３９】
図４および図４ａは、ガイドレール２、並びにブラシ１０および吸引装置１１を有するテンタークリップ１を示している。ブラシは、ガイドレールのうち走行ローラーによって転がられない部分に取り付けられている。この場合、磁石は、走行ローラーの上方または下方においてベース本体４に配置されている。従って磁石は、走行ローラーとガイドレールとの間の、ガイドレール２の長手方向に延びている接触ゾーンの外側に配置されている。
【００４０】
図４は、さらに一例として、制御部および電流供給ラインシステム１３，１２を示している。電流供給ラインシステム１２は、変形例として使用される電磁石のために、ガイドレール２に電流を伝導させる。供給ライン１２から電流が、ガイドレール２の内側のラインを介して、ガイドレール上のテンタークリップの走行方向において連続している電流レール１５に伝導される。またそこから電流が、詳細には示されていないが弾性的に負荷をかけられたスリップ接点を介して、テンタークリップの電磁石に供給される。電流レール１５は、走行ローラー７の走行経路の上方または下方に取り付けられ得る。
【００４１】
詳細には示されていないが、制御部１３において、磁石への電流の供給が所定の時点で中断される。時点は、ブラシ１０および吸引装置１１を介しての磁石のクリーニングを支援するため、装置のオペレータにより調整可能となっている。
【００４２】
図５は、逆の形態における装置を示している。この場合、磁石８の列が、ガイドレール２上に配置されている。テンタークリップのベース本体において、代わりに、磁気的に効果的なカウンターエレメント１４が配置されている。エアギャップの調整のための図２に関連して説明されたように、同様の方法でカウンターエレメント１４の調整が実施され得る。これに関して、ブラシ１０が、テンタークリップのベース本体４に固定されており、このため、ブラシ１０が定常的に磁石８にぶつかる、すなわち磁石８をブラッシングする。吸引装置１１は例えば、ガイドレール２の内側に同様に取り付けられている。このことのため、ガイドレールは、磁石８の列による切り抜きを備えている。磁石それ自体は、永久磁石または電磁石として構成され得る。電磁石の利用の場合、磁石８への電流の供給は、制御部１３に接続された電流供給ラインシステム１２を介して、固定され静止しているガイドレールにおいて実現される。
【図１】
2011518695.tif 000003
【図２】
2011518695.tif 000004
【図３】
2011518695.tif 000005
【図４】
2011518695.tif 000006
【図４ａ】
2011518695.tif 000007
【図５】
2011518695.tif 000008
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
フィルムウェブの横方向の延伸のための装置において、
少なくとも１つのクリップチェーンを有し、クリップチェーンは、少なくとも１つのガイドレール（２）上で移動可能に誘導され、
前記クリップチェーンはテンタークリップ（１）を有し、このテンタークリップ（１）には、フィルムウェブ（３）のためのクランプデバイス（５）と、複数の走行ローラー（７）であって、ガイドレール（２）に沿って転がり得るよう設けられた走行ローラー（７）と、が配置され、
磁気的に効果的な力を生成するためのデバイスが設けられており、このデバイスは、テンタークリップ（１）を、画定された方向においてガイドレール（２）に向けて引き寄せる、ことを特徴とする装置。
【請求項２】
前記画定された方向は、前記フィルムウェブ（３）が横方向の延伸への反作用としてテンタークリップに及ぼす力の方向に一致している、ことを特徴とする請求項１に記載の装置。
【請求項３】
前記画定された方向は、さらに１つの成分を含み、
前記成分は、フィルムウェブ（３）の延伸方向に垂直に、ガイドレール（２）に向かってテンタークリップを引き寄せる、ことを特徴とする請求項２に記載の装置。
【請求項４】
磁気的に効果的な力を生成するためのデバイスは、少なくとも１つの磁石（８）を含む、ことを特徴とする請求項１乃至３のいずれかに記載の装置。
【請求項５】
フィルムウェブの横方向の延伸のための装置におけるテンタークリップであって、
前記装置は、少なくとも１つのクリップチェーンを有し、クリップチェーンは、少なくとも１つのガイドレール（２）上で移動可能に誘導され、
前記クリップチェーンはテンタークリップ（１）を有し、このテンタークリップ（１）には、フィルムウェブ（３）のためのクランプデバイス（５）と、複数の走行ローラー（７）であって、ガイドレール（２）に沿って転がり得るよう設けられた走行ローラー（７）と、が配置され、
磁気的に効果的な力を生成するためのデバイスが設けられており、このデバイスは、テンタークリップ（１）を、画定された方向においてガイドレール（２）に向けて引き寄せ、
磁気的に効果的な力を生成するためのデバイスは、少なくとも１つの磁石（８）を含み、
少なくとも１つの磁石（８）はテンタークリップ（１）のベース本体（４）に取り付けられている、ことを特徴とするテンタークリップ。
【請求項６】
フィルムウェブの横方向の延伸のための装置におけるガイドレールであって、
前記装置は、少なくとも１つのクリップチェーンを有し、クリップチェーンは、少なくとも１つのガイドレール（２）上で移動可能に誘導され、
前記クリップチェーンはテンタークリップ（１）を有し、このテンタークリップ（１）には、フィルムウェブ（３）のためのクランプデバイス（５）と、複数の走行ローラー（７）であって、ガイドレール（２）に沿って転がり得るよう設けられた走行ローラー（７）と、が配置され、
磁気的に効果的な力を生成するためのデバイスが設けられており、このデバイスは、テンタークリップ（１）を、画定された方向においてガイドレール（２）に向けて引き寄せ、
磁気的に効果的な力を生成するためのデバイスは、少なくとも１つの磁石（８）を含み、
少なくとも１つの磁石（８）はガイドレール（２）に取り付けられている、ことを特徴とするガイドレール。
【請求項７】
請求項５に記載のテンタークリップを有し、
前記磁石（８）におけるエアギャップが、調整手段（９）によって調整可能となっている、ことを特徴とする装置。
【請求項８】
請求項６に記載のガイドレールを有し、
前記磁石（８）におけるエアギャップが、調整手段（９）によって調整可能となっている、ことを特徴とする装置。
【請求項９】
クリーニングデバイス（１０，１１）が設けられており、このクリーニングデバイスが、アブラシブ磨耗の粒子を磁石から取り除く、ことを特徴とする請求項７または８のいずれかに記載の装置。
【請求項１０】
前記クリーニングデバイスは、１つまたはそれよりも多いブラシ（１０）と、１つまたはそれよりも多い吸引装置（１１）と、からなる、ことを特徴とする請求項９に記載の装置。
【国際調査報告】
2011518695.tif 000009
2011518695.tif 000010
2011518695.tif 000011
2011518695.tif 000012